(57)【要約】【課題】Ｘ線撮影において局所的に増大する皮膚積算線量を低減する。【解決手段】被検体に対するＸ線撮影によって収集された投影データに基づいて画像データを生成するＸ線診断装置１００は、前記Ｘ線撮影におけるＸ線線量に基づいて前記被検体の皮膚積算線量を算出する積算線量算出部７と、前記皮膚積算線量が所定の閾値より大きな領域に対して補償フィルタあるいは絞り羽根の少なくとも何れかを挿入する絞り移動機構１０１を備える。【選択図】  図１
2014054322.tif 000002
【特許請求の範囲】
【請求項１】
被検体に対するＸ線撮影によって収集された投影データに基づいて画像データを生成するＸ線診断装置において、
前記Ｘ線撮影におけるＸ線線量に基づいて前記被検体の皮膚積算線量を算出する積算線量算出手段と、
前記皮膚積算線量が所定の閾値より大きな領域に対して補償フィルタあるいは絞り羽根の少なくとも何れかを挿入する絞り移動手段とを
備えたことを特徴とするＸ線診断装置。
【請求項２】
前記Ｘ線撮影における撮影領域あるいは複数の前記撮影領域が重なって形成される重複撮影領域を検出する領域検出手段を備え、前記絞り移動手段は、前記閾値より大きな皮膚積算線量を有する前記撮影領域あるいは前記重複撮影領域に対して前記補償フィルタあるいは前記絞り羽根の少なくとも何れかを挿入することを特徴とする請求項１記載のＸ線診断装置。
【請求項３】
輝度補正手段を備え、前記輝度補正手段は、前記補償フィルタの挿入によって低下した前記画像データの前記撮影領域あるいは前記重複撮影領域における輝度を補正することを特徴とする請求項２記載のＸ線診断装置。
【請求項４】
画像データ補完手段を備え、前記画像データ補完手段は、前記絞り羽根の挿入によってその輝度の情報が欠落した前記画像データの前記撮影領域あるいは前記重複撮影領域に前記絞り羽根が挿入される前に収集した画像データの前記撮影領域あるいは前記重複撮影領域における画素データを貼付することを特徴とする請求項２記載のＸ線診断装置。
【請求項５】
領域マーカ付加手段を備え、前記領域マーカ付加手段は、前記画像データの前記撮影領域あるいは前記重複撮影領域に対して補償フィルタ挿入領域あるいは絞り羽根挿入領域を示す領域マーカを付加することを特徴とする請求項２記載のＸ線診断装置。
【請求項６】
前記Ｘ線撮影におけるＸ線線量を計測する線量計測手段を備え、前記積算線量算出手段は、前記Ｘ線線量に基づいて前記被検体の体表面に形成された前記撮影領域あるいは前記重複撮影領域における皮膚積算線量を算出することを特徴とする請求項２記載のＸ線診断装置。
【請求項７】
前記Ｘ線撮影のＸ線照射条件を設定する照射条件設定手段を備え、前記積算線量算出手段は、前記Ｘ線照射条件に基づいて前記被検体の体表面に形成された前記撮影領域あるいは前記重複撮影領域における皮膚積算線量を算出することを特徴とする請求項２記載のＸ線診断装置。
【請求項８】
前記皮膚積算線量と第１の閾値及び前記第１の閾値より大きな第２の閾値とを比較する積算線量比較手段を備え、前記絞り移動手段は、前記第１の閾値より大きく前記第２の閾値より小さな皮膚積算線量を有する前記撮影領域あるいは前記重複撮影領域に対して前記補償フィルタを挿入し、前記第２の閾値より大きな皮膚積算線量を有する前記撮影領域あるいは前記重複撮影領域に対して前記絞り羽根を挿入することを特徴とする請求項２記載のＸ線診断装置。
【請求項９】
被検体に対するＸ線撮影によって収集された投影データに基づいて画像データを生成するＸ線診断装置に対し、
前記Ｘ線撮影における撮影領域あるいは複数の前記撮影領域が重なって形成される重複撮影領域を検出する領域検出機能と、
前記Ｘ線撮影におけるＸ線線量に基づいて前記撮影領域あるいは前記重複撮影領域における皮膚積算線量を算出する積算線量算出機能と、
前記皮膚積算線量が所定の閾値を越えた領域に対して補償フィルタあるいは絞り羽根の少なくとも何れかを挿入する絞り移動機能を
実行させることを特徴とする制御プログラム。
【発明の詳細な説明】
【技術分野】
【０００１】
本発明の実施形態は、被検体の撮影領域に対する過剰なＸ線照射を防止することが可能なＸ線診断装置及び制御プログラムに関する。
【背景技術】
【０００２】
Ｘ線診断装置、ＭＲＩ装置、Ｘ線ＣＴ装置等を用いた医用画像診断は、コンピュータ技術の発展に伴って急速な進歩を遂げ、今日の医療において必要不可欠なものとなっている。特に、カテーテル手技の発展に伴って進歩を遂げている循環器領域のＸ線画像診断は心血管系をはじめ全身の動静脈を対象としており、通常、造影剤が投与された血管領域のＸ線撮影により収集される透視画像データの観察によって行なわれる。
【０００３】
例えば、循環器領域の診断を目的としたＸ線診断装置は、Ｘ線発生部のＸ線管やＸ線検出部の平面検出器等によって構成される撮像系、撮像系を保持する保持部、被検体を載置する天板等を備え、上述の天板や保持部に設けられたＣアーム等を所望の方向へ移動させることにより被検体に対し最適な方向からのＸ線撮影を可能にしている。
【０００４】
このようなＸ線診断装置を用いて得られる透視画像データの観測下でカテーテル等を用いた治療を行なうＩＶＲ（Interventional Radiology）では、治療対象部位を中心に設定された撮影領域に対して長時間に渡るＸ線撮影が繰り返し行なわれ、特に、複数の治療対象部位が接近して存在する場合には、各々の治療対象部位に対して設定された撮影領域が重なることによって皮膚積算線量が増大する領域（以下、重複撮影領域と呼ぶ。）が形成されるという問題点を有していた。
【０００５】
そして、皮膚積算線量が局所的に増大する危険性を有する従来のＩＶＲ等では、算出された皮膚積算線量の情報や大きな皮膚積算線量を呈する撮影領域あるいは重複撮影領域の位置情報を当該Ｘ線撮影において収集された画像データや別途作成された人体モデルに重畳して表示することにより、Ｘ線撮影を担当する医療従事者（以下、操作者と呼ぶ）に報知する方法が採られている。
【先行技術文献】
【特許文献】
【０００６】
【特許文献１】特開２００９−４２２４７号公報
【発明の概要】
【発明が解決しようとする課題】
【０００７】
上述した従来の方法によれば、重複撮影領域のように皮膚積算線量が局所的に増大する領域の発生を操作者に対して正確に報知することが可能となるが、皮膚積算線量を低減する具体的な方法は操作者に委ねられてきた。
【０００８】
この場合、操作者は、上述の情報を把握しても、局所的に発生する皮膚積算線量を低減する手段を短時間で講じることは必ずしも容易ではなく、特に、操作者のＸ線撮影における経験が浅い場合には、最適な方法で皮膚積算線量を低減することは極めて困難であった。
【０００９】
本開示は、上述の問題点に鑑みてなされたものであり、その目的は、被検体に対する撮影領域を順次移動させながらＸ線撮影を行なう際、撮影領域の重なり等によって局所的に発生する皮膚積算線量の増大を防止することが可能なＸ線診断装置及び制御プログラムを提供することにある。
【課題を解決するための手段】
【００１０】
上記課題を解決するために、本開示のＸ線診断装置は、被検体に対するＸ線撮影によって収集された投影データに基づいて画像データを生成するＸ線診断装置であって、前記Ｘ線撮影におけるＸ線線量に基づいて前記被検体の皮膚積算線量を算出する積算線量算出手段と、前記皮膚積算線量が所定の閾値より大きな領域に対して補償フィルタあるいは絞り羽根の少なくとも何れかを挿入する絞り移動手段とを備えたことを特徴としている。
【図面の簡単な説明】
【００１１】
【図１】本実施形態におけるＸ線診断装置の全体構成を示すブロック図。
【図２】本実施形態のＸ線診断装置が備えるＸ線可動絞り器及び絞り移動機構を説明するための図。
【図３】本実施形態のＸ線可動絞り器に備えられた絞り羽根の具体的な構成を示す図。
【図４】本実施形態のＸ線可動絞り器に備えられた補償フィルタの具体的な構成を示す図。
【図５】本実施形態のＸ線撮影によって形成される重複撮影領域を説明するための図。
【図６】本実施形態のＸ線診断装置が備える平面検出器の具体的な構成を示す図。
【図７】本実施形態のＸ線診断装置が備える画像データ補正部の具体的な構成を示すブロック図。
【図８】本実施形態における画像データの生成／表示手順を示すフローチャート。
【図９】本実施形態の変形例における画像データ補正部の具体的な構成を示すブロック図。
【図１０】本実施形態の変形例における画像データの生成／表示手順を示すフローチャート。
【発明を実施するための形態】
【００１２】
以下、図面を参照して本開示の実施形態を説明する。
【００１３】
（実施形態）
本実施形態におけるＸ線診断装置は、第１の撮影領域に対するＸ線撮影に後続してこの第１の撮影領域に近接した第２の撮影領域に対するＸ線撮影を行なう際、Ｘ線照射部の線量計測部にて得られる皮膚積算線量の計測結果に基づいて第１の撮影領域と第２の撮影領域とが重なった重複撮影領域における皮膚積算線量を算出する。そして、この算出結果と所定の閾値との比較結果に基づいて画像データに対する「注意領域」マーカあるいは「補償フィルタ挿入領域」マーカの付加や重複撮影領域に対する補償フィルタの挿入を行ない、更に、補償フィルタが挿入された状態で収集された画像データの重複撮影領域における輝度を補正する。
【００１４】
尚、本実施形態では、第１の撮影領域と第２の撮影領域が重なった重複撮影領域に対してＸ線照射の低減を目的とした補償フィルタの挿入を行なう場合について述べるが、これに限定されるものではなく、独立した個々の撮影領域に対する補償フィルタの挿入であっても構わない。
【００１５】
（装置の構成及び機能）
本実施形態におけるＸ線診断装置の構成と機能につき図１乃至図７を用いて説明する。尚、図１は、本実施形態におけるＸ線診断装置の全体構成を示すブロック図であり、図７は、このＸ線診断装置が備える画像データ補正部の具体的な構成を示すブロック図である。
【００１６】
図１に示すＸ線診断装置１００は、被検体１５０に対してＸ線を照射するＸ線発生部１と、被検体１５０を透過したＸ線を２次元的に検出すると共に、その検出結果に基づいて投影データを生成するＸ線検出部２と、Ｘ線検出部２から供給される投影データに基づいて画像データを生成する画像データ生成部５と、Ｘ線発生部１のＸ線照射部３とＸ線検出部２（以下、これらを纏めて撮像系と呼ぶ。）を保持する図示しない保持部と、後述のシステム制御部１４から供給される撮影領域の位置情報に基づいて被検体１５０の体表面における重複撮影領域を検出する領域検出部６と、Ｘ線照射部３に設けられた後述の線量計測部３３から供給されるＸ線線量の計測結果に基づいて上述の重複撮影領域における皮膚積算線量を算出する積算線量算出部７と、算出された皮膚積算線量と所定の閾値とを比較する積算線量比較部８を備えている。
【００１７】
又、Ｘ線診断装置１００は、被検体１５０を載置する天板９と、上述の撮像系や天板９、更には、後述するＸ線可動絞り器３２に設けられた補償フィルタ３２２や絞り羽根３２１の移動制御を行なう移動機構部１０と、領域検出部６において検出された重複撮影領域の領域情報及び積算線量比較部８から供給された皮膚積算線量と閾値との比較結果に基づき、「注意領域」あるいは「補償フィルタ挿入領域」を示す領域マーカを画像データ生成部５から供給された画像データに付加すると共に、補償フィルタ３２２の挿入によって減弱した画像データの輝度を補正する画像データ補正部１１と、上述の領域マーカが付加された画像データや輝度補正された画像データを表示する表示部１２と、被検体情報の入力、撮影条件の設定、各種指示信号の入力等を行なう入力部１３と、上述のユニットを統括的に制御するシステム制御部１４を備えている。
【００１８】
以下、Ｘ線診断装置１００が備える上記ユニットについて更に詳しく説明する。
【００１９】
図１に示したＸ線診断装置１００のＸ線発生部１は、Ｘ線管３１、Ｘ線可動絞り器３２及び線量計測部３３を有したＸ線照射部３と、Ｘ線制御部４１及び高電圧発生器４２を有した高電圧発生部４を備えている。Ｘ線照射部３のＸ線管３１は、Ｘ線を発生する真空管であり、陰極（フィラメント）より放出された電子を高電圧発生部４から供給された高電圧によって加速しタングステン陽極に衝突させてＸ線を発生する。
【００２０】
一方、Ｘ線可動絞り器３２は、被検体１５０に対する被曝線量の低減と画質向上を目的として用いられ、図２に示すようにＸ線管３１から放射されたＸ線の被検体１５０における照射領域（撮影領域）を設定する絞り羽根３２１と、吸収量が少ない生体組織を透過したＸ線を選択的に低減させてハレーションを防止し、更に、複数の撮影領域が重なった重複撮影領域に挿入することにより局所的に発生する皮膚積算線量の増大を防止する補償フィルタ３２２を備えている。そして、絞り羽根３２１及び補償フィルタ３２２の各々は、ワイヤロープや回転シャフト等の伝達機構を介して接続された後述する絞り移動機構１０１の絞り羽根移動機構１０１１及び補償フィルタ移動機構１０１２によって所望の位置へ移動する。
【００２１】
次に、本実施形態のＸ線可動絞り器３２が備える絞り羽根３２１及び補償フィルタ３２２の具体的な構成と機能につき図３及び図４を用いて説明する。
【００２２】
図３に示す絞り羽根３２１は、例えば、Ｘ線を遮断する４枚の絞り羽根３２１ａ乃至３２１ｄを備え、絞り羽根３２１ａ乃至３２１ｄの各々は、上述の伝達機構を介して絞り移動機構１０１の絞り羽根移動機構１０１１に接続されている。
【００２３】
即ち、絞り羽根移動機構１０１１は、絞り羽根３２１ａ及び３２１ｃを第１の方向（図３のｘ方向）へ移動させ、絞り羽根３２１ｂ及び３２１ｄを第２の方向（図３のｙ方向）へ移動させることにより、被検体１５０に対する撮影領域Ｒｒの大きさと位置を任意に設定する。そして、被検体１５０の撮影領域Ｒｒを透過したＸ線は、Ｘ線検出部２が備える平面検出器２１の領域Ｒｘｉにおいて検出される。
【００２４】
一方、図４に示すＸ線可動絞り器３２の補償フィルタ３２２は、例えば、第１の方向（図４のｘ方向）のＸ線減弱範囲を設定する２つの多分割補償フィルタ３２２ａ及び３２２ｃを備え、多分割補償フィルタ３２２ａ及び３２２ｃの各々は、第２の方向（図４のｙ方向）に所定間隔で配列されたＮ個のフィルタブロック１５ａ−１乃至１５ａ−Ｎ及びフィルタブロック１５ｃ−１乃至１５ｃ−Ｎを有している。
【００２５】
そして、フィルタブロック１５ａ−１乃至１５ａ−Ｎ及びフィルタブロック１５ｃ−１乃至１５ｃ−Ｎを、ワイヤロープや回転シャフト等の伝達機構１７ａ−１乃至１７ａ−Ｎ及び伝達機構１７ｃ−１乃至１７ｃ−Ｎを介して接続された補償フィルタ移動機構１０１２のフィルタブロック移動機構１６ａ−１乃至１６ａ−Ｎ及びフィルタブロック移動機構１６ｃ−１乃至１６ｃ−Ｎによってｘ方向へ移動させることにより、上述の絞り羽根３２１ａ乃至３２１ｄによって設定された撮影領域Ｒｒの周辺部にＸ線減弱領域Ｒｂが形成される。
【００２６】
尚、図４のＸ線減弱領域Ｒｂは、後述の補償フィルタ挿入領域と一致しており、撮影領域Ｒｒを順次移動させながら被検体１５０に対するＸ線撮影を行なう際に、複数の撮影領域Ｒｒが重なることによって局所的な皮膚積算線量の増大が発生する重複撮影領域に対応している。即ち、重複撮影領域を補償フィルタ挿入領域に設定して補償フィルタ３２２を挿入することによりＸ線減弱領域Ｒｂが形成される。
【００２７】
そして、例えば、図５に示すように、被検体１５０の頭部に発生した病巣部Ｔ１及び病巣部Ｔ２の治療を目的として病巣部Ｔ１を中心とした撮影領域Ｒｒ１（第１の撮影領域）に対するＸ線撮影に後続して病巣部Ｔ２を中心とした撮影領域Ｒｒ２（第２の撮影領域）に対するＸ線撮影を行なう際、撮影領域Ｒｒ１と撮影領域Ｒｒ２とが重なる重複撮影領域Ｒｒｘに対してＸ線減弱領域Ｒｂを形成するためにフィルタブロック１５の挿入が行なわれる。
【００２８】
図１へ戻って、Ｘ線照射部３の線量計測部３３は、例えば、ゲルマニウムやシリコン等を用いた図示しない半導体検出器あるいは電離箱を用いた図示しない検出器を備え、Ｘ線可動絞り器３２が備える絞り羽根３２１の開口部を通過したＸ線のもつエネルギー（Ｘ線線量）を計測する機能を有している。即ち、Ｘ線が半導体検出器を通過する際、半導体検出器の内部で新たに発生した電子-正孔対を逆バイアス電場によって電極に集め、得られた電子-正孔対の電荷を、チャージセンシティブアンプを用いて増幅することあるいは電離箱の中のガスのイオン化に伴う電流を増幅することにより絞り羽根３２１の開口部を通過したＸ線線量を計測する。そして、上述の方法によって得られたＸ線線量の計測結果は、システム制御部１４から供給される撮影領域Ｒｒの領域情報を付帯情報として積算線量算出部７へ供給される。
【００２９】
次に、図１の高電圧発生部４は、Ｘ線照射部３が備えるＸ線管３１の陰極から発生した熱電子を加速するために陽極と陰極の間に印加する高電圧を発生する高電圧発生器４２と、システム制御部１４から供給されたＸ線照射条件に基づいて高電圧発生器４２の印加電圧、印加時間及び印加タイミングを制御することにより、Ｘ線管３１の管電流、管電圧、Ｘ線照射時間、Ｘ線照射タイミング、照射繰り返し周期等を設定するＸ線制御部４１を備えている。
【００３０】
一方、Ｘ線検出部２は、Ｘ線可動絞り器３２の絞り羽根３２１ａ乃至３２１ｄによって形成された被検体１５０の撮影領域Ｒｒ（図３参照）を透過したＸ線を信号電荷に変換して蓄積する平面検出器２１と、この平面検出器２１に蓄積された信号電荷を読み出すためのゲートドライバ２２と、読み出された信号電荷に基づいて投影データを生成する投影データ生成部２３を備えている。尚、Ｘ線検出方式には、Ｘ線を直接信号電荷に変換する方式と光に変換した後信号電荷に変換する方式があり、本実施形態では前者を例に説明するが後者であってもよい。又、平面検出器２１の代わりにＸ線Ｉ．Ｉ．（イメージインテンシファイア）を用いた方式であっても構わない。
【００３１】
Ｘ線検出部２の平面検出器２１は、図６に示すように微小な検出素子５１を列方向及びライン方向に２次元的に配列して構成されており、各々の検出素子５１はＸ線を感知し入射Ｘ線量に応じて信号電荷を生成する光電膜５２と、この光電膜５２に発生した信号電荷を蓄積する電荷蓄積コンデンサ５３と、電荷蓄積コンデンサ５３に蓄積された信号電荷を所定のタイミングで読み出すＴＦＴ（薄膜トランジスタ）５４を備えている。以下では説明を簡単にするために、検出素子５１が列方向（図６の上下方向）及びライン方向（図６の左右方向）に２素子ずつ配列された平面検出器２１の構成について説明する。
【００３２】
即ち、図６に示した平面検出器２１では、光電膜５２−１１、５２−１２、５２−２１、５２−２２の第１の端子と、電荷蓄積コンデンサ５３−１１、５３−１２、５３−２１、５３−２２の第１の端子とが接続され、更に、その接続点はＴＦＴ５４−１１、５４−１２、５４−２１、５４−２２のソース端子へ接続される。又、光電膜５２−１１、５２−１２、５２−２１、５２−２２の第２の端子は、図示しないバイアス電源に接続され、電荷蓄積コンデンサ５３−１１、５３−１２、５３−２１、５３−２２の第２の端子は接地される。
【００３３】
更に、ライン方向のＴＦＴ５４−１１及びＴＦＴ５４−２１のゲートは、ゲートドライバ２２の出力端子２２−１に共通接続され、ＴＦＴ５４−１２及びＴＦＴ５４−２２のゲートは、ゲートドライバ２２の出力端子２２−２に共通接続される。
【００３４】
又、列方向のＴＦＴ５４−１１及び５４−１２のドレイン端子は、信号出力線５９−１に共通接続され、ＴＦＴ５４−２１及び５４−２２のドレイン端子は、信号出力線５９−２に共通接続される。そして、信号出力線５９−１及び５９−２は、投影データ生成部２３に接続されている。
【００３５】
一方、ゲートドライバ２２は、Ｘ線照射によって検出素子５１の光電膜５２で発生し電荷蓄積コンデンサ５３にて蓄積された信号電荷を読み出すために、ＴＦＴ５４のゲート端子に読み出し用の駆動パルスを供給する。
【００３６】
再び図１へ戻って、投影データ生成部２３は、平面検出器２１から読み出された信号電荷を電圧に変換する電荷・電圧変換器２４と、電荷・電圧変換器２４の出力をデジタル信号に変換するＡ／Ｄ変換器２５と、平面検出器２１からライン単位でパラレルに読み出されデジタル変換された投影データを時系列信号に変換するパラレル・シリアル変換器２６を備えている。この場合、電荷・電圧変換器２４及びＡ／Ｄ変換器２５は、平面検出器２１の信号出力線５９と等しいチャンネル数を有している。
【００３７】
画像データ生成部５は、被検体１５０に設定された複数からなる撮影領域Ｒｒの各々において時系列的な画像データを生成する機能を有し、図示しない投影データ記憶部と画像処理部を備えている。投影データ記憶部には、Ｘ線検出部２の投影データ生成部２３において時系列信号に変換された投影データが順次保存されて画像データが生成され、画像処理部は、生成された画像データに対し輪郭強調やＳ／Ｎ改善等を目的とした画像処理を必要に応じて行なう。
【００３８】
一方、領域検出部６は、図示しない領域情報記憶部を備え、例えば、図５のように、被検体１５０の撮影領域Ｒｒ１（第１の撮影領域）に対するＸ線撮影に後続して撮影領域Ｒｒ２（第２の撮影領域）に対するＸ線撮影が行なわれる場合、領域情報記憶部には、最初のＸ線撮影に際してシステム制御部１４から供給された撮影領域Ｒｒ１の領域情報が保存される。
【００３９】
次いで、システム制御部１４から供給された撮影領域設定情報に基づいて被検体１５０に対する撮影領域Ｒｒ２の形成が移動機構部１０によって行なわれる際、領域検出部６は、システム制御部１４から供給された撮影領域Ｒｒ２の領域情報と自己の領域情報記憶部から読み出した撮影領域Ｒｒ１の領域情報に基づいてこれらの領域が重なる重複撮影領域Ｒｒｘを検出する。
【００４０】
次に、積算線量算出部７は、ｎ番目の撮影領域Ｒｒｎに対するＸ線撮影に同期してＸ線照射部３の線量計測部３３から時系列的に供給されるＸ線面積線量率の計測結果Ａｎを受信し、Ｘ線可動絞り器３２の絞り羽根３２１によって被検体１５０の体表面に形成された撮影領域Ｒｒｎの面積Ｓｒｎで上述の計測結果Ａｎを除することにより、単位時間当たりのＸ線線量Ｐｏｎ（Ｐｏｎ＝Ａｎ／Ｓｒｎ）を算出する。次いで、撮影領域Ｒｒｎに対する連続的あるいは断続的なＸ線照射の期間内にて算出された上述のＸ線線量ＰｏｎをＸ線照射時間ｔに渡って累積演算することにより撮影開始時刻からｔだけ経過した時刻における撮影領域Ｒｒｎの皮膚積算線量Ｐｎ（ｔ）（Ｐｎ（ｔ）＝Ｐｏｎ・ｔ）を算出する。
【００４１】
又、積算線量算出部７は、図示しない積算線量記憶部を備え、例えば、図５に示したように被検体１５０の撮影領域Ｒｒ１（第１の撮影領域）に対するＸ線面積線量率Ａ１及びＸ線照射時間Δτ１のＸ線撮影に後続して撮影領域Ｒｒ２（第２の撮影領域）に対するＸ線面積線量率Ａ２のＸ線撮影が継続して行なわれる場合、先ず、撮影領域Ｒｒ１の領域情報を付帯情報として線量計測部３３から時系列的に供給されるＸ線面積線量率Ａ１を撮影領域Ｒｒ１の面積Ｓｒ１で除した後、Ｘ線照射時間Δτ１に渡って累積演算することにより撮影領域Ｒｒ１の皮膚積算線量Ｐ１を算出する。そして、得られた皮膚積算線量Ｐ１に撮影領域Ｒｒ１の領域情報を付加して自己の積算線量記憶部に保存する。
【００４２】
次いで、撮影領域Ｒｒ２の領域情報を付帯情報として線量計測部３３から供給されるＸ線面積線量率Ａ２を撮影領域Ｒｒ２の面積Ｓｒ２で除した後、Ｘ線照射時間ｔに渡って累積演算することにより撮影領域Ｒｒ２の皮膚積算線量Ｐ２を算出する。そして、この皮膚積算線量Ｐ２と上述の積算線量記憶部から読み出した皮膚積算線量Ｐ１に基づいて撮影領域Ｒｒ２の撮影開始時刻からｔだけ経過した時刻における重複撮影領域Ｒｒｘの皮膚積算線量Ｐｘ（ｔ）を算出する。尚、このとき算出される皮膚積算線量Ｐｘ（ｔ）は、次式（１）によって示すことができる。
【数１】
2014054322.tif 000003
【００４３】
但し、上式（１）におけるＡ１及びＡ２は、撮影領域Ｒｒ１及び撮影領域Ｒｒ２に対するＸ線撮影において線量計測部３３が計測したＸ線面積線量率を示し、Ｓｒ１及びＳｒ２は、撮影領域Ｒｒ１及び撮影領域Ｒｒ２の面積を示す。
【００４４】
次に、積算線量比較部８は、積算線量算出部７から供給される重複撮影領域Ｒｒｘの皮膚積算線量Ｐｘ（ｔ）と予め設定された閾値α１及び閾値α２（α２＞α１）とを比較し、その比較結果を画像データ補正部１１へ供給する。
【００４５】
尚、上述の閾値α１及びα２は、例えば、皮膚初期紅斑が発生する場合の皮膚積算線量Ｂｏを基準に設定され、画像データに対する「注意領域」領域マーカの付加を決定する際に用いる閾値α１（α１＝Ｂｏ／２）及び「補償フィルタ挿入領域」領域マーカの付加と補償フィルタ挿入領域の輝度補正を決定する際に用いる閾値α２（α２＝２Ｂｏ／３）が装置の初期設定等において予め設定される。
【００４６】
一方、移動機構部１０は、被検体１５０に対する撮影領域Ｒｒ及びＸ線減弱領域Ｒｂの形成を目的としてＸ線照射部３に備えられたＸ線可動絞り器３２の絞り羽根３２１及び補償フィルタ３２２を所望の位置へ移動させる絞り移動機構１０１と、Ｘ線照射部３及びＸ線検出部２（撮像系）を被検体１５０に対して相対的に移動させるために、天板９を被検体１５０の体軸方向へ移動させる天板移動機構１０２と、撮像系が取り付けられた保持部を被検体１５０の周囲で回動あるいは移動させる保持部移動機構１０３と、上述の絞り移動機構１０１、天板移動機構１０２及び保持部移動機構１０３を制御する機構制御部１０４を備えている。
【００４７】
機構制御部１０４は、入力部１３からシステム制御部１４を介して供給される撮影領域Ｒｒの領域情報に基づいてＸ線可動絞り器３２が備える絞り羽根３２１の移動を制御することにより被検体１５０に対して撮影領域Ｒｒを形成し、領域検出部６から供給される重複撮影領域Ｒｒｘの領域情報に基づいてＸ線可動絞り器３２が備える補償フィルタ３２２の移動を制御することにより被検体１５０に対してＸ線減弱領域Ｒｂを形成する。
【００４８】
更に、機構制御部１０４は、入力部１３からシステム制御部１４を介して供給される移動指示信号に従って撮像系が取り付けられた保持部や天板９の移動を制御することにより被検体１５０に対するＸ線の照射方向や照射位置を設定する。
【００４９】
絞り移動機構１０１は、既に図２に示したように絞り羽根移動機構１０１１と補償フィルタ移動機構１０１２を備えている。そして、絞り羽根移動機構１０１１は、機構制御部１０４から供給された移動制御信号に基づいてＸ線可動絞り器３２に設けられた複数の絞り羽根３２１を移動させることにより被検体１５０の検査対象部位あるいは治療対象部位を中心とした所定サイズの撮影領域Ｒｒを形成する。
【００５０】
一方、補償フィルタ移動機構１０１２は、領域検出部６から供給された重複撮影領域Ｒｒｘの領域情報に基づいてＸ線可動絞り器３２に設けられた補償フィルタ３２２の多分割補償フィルタ３２２ａ及び３２２ｃを移動させることにより被検体１５０に対してＸ線減弱領域Ｒｂを形成する。
【００５１】
次に、画像データ補正部１１は、図７に示すように輝度計測部１１１、輝度補正部１１２及び領域マーカ付加部１１３を備えている。
【００５２】
輝度計測部１１１は、領域検出部６から供給される重複撮影領域Ｒｒｘの領域情報に基づき、補償フィルタ３２２を挿入した状態で収集された画像データの重複撮影領域における平均輝度Ｇ１と重複撮影領域の外部領域における平均輝度Ｇ２を計測する。そして、輝度補正部１１２は、輝度計測部１１１から供給される平均輝度Ｇ１及びＧ２の計測結果に基づいて重複撮影領域における輝度を補正する。
【００５３】
例えば、輝度補正部１１２は、補償フィルタ３２２が挿入された重複撮影領域Ｒｒｘにおける平均輝度Ｇ１と補償フィルタ３２２が挿入されていない領域における平均輝度Ｇ２の比γ（γ＝Ｇ１／Ｇ２）を算出し、この平均輝度比γが所定の閾値γｏより小さい場合、各々の領域における平均輝度が略等しくなるように当該画像データの重複撮影領域における輝度を補正する。
【００５４】
一方、画像データ補正部１１の領域マーカ付加部１１３は、領域検出部６から供給された重複撮影領域Ｒｒｘの領域情報及び積算線量比較部８から供給された重複撮影領域Ｒｒｘにおける皮膚積算線量Ｐｘ（ｔ）と閾値α１及び閾値α２との比較結果に基づき、α１≦Ｐｘ（ｔ）＜α２の場合には、画像データ生成部５から直接供給された画像データの重複撮影領域に対して「注意領域」を示す領域マーカを付加し、Ｐｘ（ｔ）≧α２の場合には、上述の輝度補正部１１２から供給された輝度補正後の画像データにおける重複撮影領域に対して「補償フィルタ挿入領域」を示す領域マーカを付加する。
【００５５】
図１へ戻って、表示部１２は、図示しない表示データ生成部、データ変換部及びモニタを備え、重複撮影領域Ｒｒｘにおける皮膚積算線量Ｐｘ（ｔ）が第１の閾値α１より小さい場合、上述の表示データ生成部は、画像データ生成部５において生成された画像データに基づいて第１の表示データを生成する。一方、皮膚積算線量Ｐｘ（ｔ）が第１の閾値α１を越えた場合、重複撮影領域に「注意領域」の領域マーカが付加された画像データに基づいて第２の表示データを生成し、皮膚積算線量Ｐｘ（ｔ）が閾値α２を超えた場合、輝度補正された重複撮影領域に「補償フィルタ挿入領域」の領域マーカが付加された画像データに基づいて第３の表示データを生成する。
【００５６】
そして、データ変換部は、上述の第１の表示データ乃至第３の表示データに対しＤ／Ａ変換やテレビフォーマット変換等の変換処理を行なってモニタに表示する。
【００５７】
次に、入力部１３は、表示パネルやキーボード、トラックボール、ジョイスティック、マウスなどの入力デバイスを備えたインタラクティブなインターフェースであり、被検体情報の入力、Ｘ線照射条件（管電流、管電圧、Ｘ線照射時間、Ｘ線照射周期、Ｘ線照射タイミング等）を含む各種撮影条件の設定、閾値α１、閾値α２及び閾値γｏの設定、撮影領域Ｒｒの設定、画像データ生成条件及び画像データ表示条件の設定、各種指示信号の入力等を行なう。
【００５８】
システム制御部１４は、図示しないＣＰＵと入力情報記憶部を備え、入力部１３において入力あるいは設定された各種情報は入力情報記憶部に保存される。一方、ＣＰＵは、入力情報記憶部に保存された各種情報に基づいてＸ線診断装置１００が有する上述の各ユニットを統括的に制御し、被検体１５０の検査対象部位あるいは治療対象部位を含む撮影領域Ｒｒに対しＸ線撮影を実行させて所望の画像データを収集する。
【００５９】
特に、複数の撮影領域Ｒｒに対する透視撮影を順次行なう際において高い皮膚積算線量を有した局所的な重複撮影領域Ｒｒｘが被検体１５０の体表面において発生する場合、Ｘ線診断装置１００を操作する医療従事者（以下では、操作者と呼ぶ。）に対する重複撮影領域Ｒｒｘの報知を目的とした画像データに対する「注意領域」領域マーカあるいは「補償フィルタ挿入領域」領域マーカの付加を実行させ、更に、補償フィルタ３２２の挿入によって重複撮影領域の輝度が減弱した画像データに対する輝度補正を実行させる。
【００６０】
（画像データの生成／表示手順）
次に、本実施形態における画像データの生成／表示手順につき図８のフローチャートに沿って説明する。尚、以下では、撮影領域Ｒｒ１（第１の撮影領域）に対するＸ線照射時間Δτ１のＸ線撮影に後続して撮影領域Ｒｒ２（第２の撮影領域）に対するＸ線撮影を継続して行なう際、撮影領域Ｒｒ１と撮影領域Ｒｒ２とが重なった重複撮影領域Ｒｒｘにおける皮膚積算線量Ｐｘ（ｔ）を逐次算出し、その算出結果に基づいて重複撮影領域Ｒｒｘに対する補償フィルタ３２２の挿入と補償フィルタ３２２の挿入によって減弱した画像データの輝度補正を行なう場合について述べる。
【００６１】
画像データの生成に先立ち、Ｘ線診断装置１００の操作者は、入力部１３において被検体情報を入力した後、Ｘ線照射条件を含む各種撮影条件の設定、閾値α１、閾値α２及び閾値γｏの設定、画像データ生成条件及び画像データ表示条件の設定等を行ない、これらの入力情報や設定情報はシステム制御部１４に備えられた入力情報記憶部に保存される。
【００６２】
上述の初期設定が終了したならば、操作者は、被検体１５０が載置された天板９、被検体１５０の周囲に配置された撮像系（Ｘ線照射部３及びＸ線検出部２）を保持する保持部、更には、Ｘ線可動絞り器３２の絞り羽根３２１を入力部１３の入力デバイスを用いて所定の方向へ移動あるいは回動させることにより最初の撮影領域Ｒｒ１を被検体１５０に対して設定する。そして、このとき設定された撮影領域Ｒｒ１の領域情報は、システム制御部１４を介して領域検出部６の領域情報記憶部に保存される（図８のステップＳ１）。
【００６３】
次いで、操作者は、入力部１３において撮影開始指示信号を入力し、この指示信号がシステム制御部１４へ供給されることにより、撮影領域Ｒｒ１に対するＸ線撮影が開始される。
【００６４】
即ち、システム制御部１４は、自己の入力情報記憶部から読み出したＸ線照射条件と上述の撮影開始指示信号を高電圧発生部４のＸ線制御部４１へ供給し、この指示信号を受信したＸ線制御部４１は、Ｘ線照射条件に基づいて高電圧発生器４２を制御することによりＸ線照射部３のＸ線管３１に高電圧を印加する。そして、高電圧が印加されたＸ線管３１は、Ｘ線可動絞り器３２を介して被検体１５０の撮影領域Ｒｒ１にＸ線を照射し、撮影領域Ｒｒ１を透過したＸ線は、その後方に設けられたＸ線検出部２の平面検出器２１によって検出される。
【００６５】
このとき、平面検出器２１において２次元配列された検出素子５１の光電膜５２は、被検体１５０を透過したＸ線を受信し、そのＸ線透過量に比例した信号電荷を電荷蓄積コンデンサ５３に蓄積する。そして、所定期間のＸ線照射が終了したならばゲートドライバ２２は、平面検出器２１のＴＦＴ５４に対し駆動パルスを供給することによって電荷蓄積コンデンサ５３に蓄積された信号電荷を順次読み出す。
【００６６】
読み出された信号電荷は、投影データ生成部２３の電荷・電圧変換器２４において電圧変換され、Ａ／Ｄ変換器２５においてデジタル信号に変換された後パラレル・シリアル変換器２６のバッファメモリに１ライン分の投影データとして一旦保存される。次いで、パラレル・シリアル変換器２６は、自己のバッファメモリに保存された投影データのデータ要素をライン単位でシリアルに読み出し、画像データ生成部５の投影データ記憶部に順次保存することにより、投影データ記憶部には２次元の画像データが生成される。
【００６７】
次に、画像データ生成部５の画像処理部は、投影データ記憶部から読み出した画像データに対して輪郭強調やＳ／Ｎ改善等を目的とした画像処理を必要に応じて行ない、表示部１２は、画像データ生成部５から画像データ補正部１１を介して供給された画像処理後の画像データを自己のモニタに表示する（図８のステップＳ２）。そして、上述のＸ線撮影をＸ線照射時間Δτ１に渡って繰り返すことにより表示部１２には撮影領域Ｒｒ１の画像データ（透視画像データ）がリアルタイム表示される。
【００６８】
一方、積算線量算出部７は、撮影領域Ｒｒ１に対する上述のＸ線撮影に同期してＸ線照射部３の線量計測部３３から時系列的に供給されるＸ線面積線量率Ａ１の計測結果を受信し、Ｘ線可動絞り器３２の絞り羽根３２１によって被検体１５０の体表面に設定された撮影領域Ｒｒ１の面積Ｓｒ１によってＸ線面積線量率Ａ１の計測結果を除することにより、単位時間当たりのＸ線線量Ｐｏ１を算出する。
【００６９】
更に、積算線量算出部７は、撮影領域Ｒｒ１に対するＸ線撮影において算出された上述のＸ線線量Ｐｏ１をＸ線照射時間Δτ１に渡って累積演算することにより撮影領域Ｒｒ１の皮膚積算線量Ｐ１を算出し、得られた皮膚積算線量Ｐ１の算出結果に撮影領域Ｒｒ１の領域情報を付加して自己の積算線量記憶部に保存する（図８のステップＳ３）。
【００７０】
撮影領域Ｒｒ１に対する画像データの収集と皮膚積算線量Ｐ１の算出が終了したならば、操作者は、入力部１３の入力デバイスを用いて天板９あるいは撮像系を再度移動／回動させることにより撮影領域Ｒｒ１に近接した撮影領域Ｒｒ２を被検体１５０に対して設定し（図８のステップＳ４）、領域検出部６は、このとき入力部１３からシステム制御部１４を介して供給される撮影領域Ｒｒ２の領域情報と自己の領域情報記憶部から読み出した撮影領域Ｒｒ１の領域情報に基づいてこれらの領域が重なる重複撮影領域Ｒｒｘを検出する（図８のステップＳ５）。
【００７１】
一方、システム制御部１４は、Ｘ線発生部１、Ｘ線検出部２及び画像データ生成部５を上述のステップＳ２と同様の手順で制御することにより撮影領域Ｒｒ２の画像データをＸ線照射の経過時間ｔに渡って収集する（図８のステップＳ６）。
【００７２】
次いで、積算線量算出部７は、上述のステップＳ３と同様の手順によってＸ線照射部３の線量計測部３３から時系列的に供給されたＸ線面積線量率Ａ２の計測結果を撮影領域Ｒｒ２の面積Ｓｒ２によって除することにより単位時間当たりのＸ線線量Ｐｏ２を算出し、算出されたＸ線線量Ｐｏ２をＸ線照射の経過時間ｔに渡って累積演算することにより撮影領域Ｒｒ２の皮膚積算線量Ｐ２を算出する。そして、得られた皮膚積算線量Ｐ２の算出結果に撮影領域Ｒｒ２の領域情報を付加して自己の積算線量記憶部に一旦保存する（図８のステップＳ７）。
【００７３】
更に、積算線量算出部７は、上述の積算線量記憶部から読み出した撮影領域Ｒｒ１の皮膚積算線量Ｐ１及び撮影領域Ｒｒ２の皮膚積算線量Ｐ２に基づき、撮影領域Ｒｒ１に対するＸ線照射時間Δτ１のＸ線撮影及び撮影領域Ｒｒ２に対するＸ線照射時間ｔのＸ線撮影において重複撮影領域Ｒｒｘに蓄積された皮膚積算線量Ｐｘ（ｔ）を算出する（図８のステップＳ８）。
【００７４】
次に、積算線量比較部８は、積算線量算出部７から供給された皮膚積算線量Ｐｘ（ｔ）の算出結果と予め設定された閾値α１及び閾値α２（α２＞α１）とを比較し、その比較結果を画像データ補正部１１の領域マーカ付加部１１３へ供給する（図８のステップＳ９）。そして、重複撮影領域Ｒｒｘにおける皮膚積算線量Ｐｘ（ｔ）がＰｘ（ｔ）＜α１の場合、画像データ補正部１１は、画像データ生成部５から供給された撮影領域Ｒｒ２の画像データをそのまま表示部１２に表示する（図８のステップＳ１１）。
【００７５】
又、上述の皮膚積算線量Ｐｘ（ｔ）がα１≦Ｐｘ（ｔ）＜α２の場合、画像データ補正部１１の領域マーカ付加部１１３は、領域検出部６から供給された重複撮影領域Ｒｒｘの領域情報に基づき、画像データ生成部５から画像データ補正部１１の輝度計測部１１１及び輝度補正部１１２を介して供給された撮影領域Ｒｒ２における画像データの重複撮影領域に対し「注意領域」を示す領域マーカを付加して表示部１２に表示する（図８のステップＳ１０及びステップＳ１１）。
【００７６】
一方、上述の皮膚積算線量Ｐｘ（ｔ）がＰｘ（ｔ）≧α２の場合、積算線量比較部８から供給された上述の比較結果と領域検出部６から供給された重複撮影領域Ｒｒｘの領域情報を受信したシステム制御部１４は、移動制御部１０が備える機構制御部１０４に対して補償フィルタ挿入の指示信号を供給し、この指示信号を受信した機構制御部１０４は、絞り移動機構１０１を制御してＸ線可動絞り器３２の補償フィルタ３２２を重複撮影領域Ｒｒｘへ挿入する（図８のステップＳ１２）。
【００７７】
重複撮影領域Ｒｒｘに対する補償フィルタ３２２の挿入が完了したならば、システム制御部１４は、Ｘ線発生部１、Ｘ線検出部２及び画像データ生成部５を制御することにより補償フィルタ３２２が挿入された撮影領域Ｒｒ２に対するＸ線撮影を行なって画像データを生成する（図８のステップＳ１３）。
【００７８】
そして、画像データ補正部１１の輝度計測部１１１は、補償フィルタ３２２が挿入された状態で収集された画像データの重複撮影領域における平均輝度Ｇ１と重複撮影領域の外部領域における平均輝度Ｇ２を計測し、輝度補正部１１２は、輝度計測部１１１から供給された平均輝度の計測結果に基づいて前記画像データの重複撮影領域における輝度を補正する（図８のステップＳ１４）。
【００７９】
次いで、画像データ補正部１１の領域マーカ付加部１１３は、輝度補正部１１２から供給された輝度補正後の画像データ、領域検出部６から供給された重複撮影領域Ｒｒｘの領域情報及び積算線量比較部８から供給された重複撮影領域Ｒｒｘにおける皮膚積算線量Ｐｘ（ｔ）と閾値α２との比較結果を受信し、これらの情報に基づき、「補償フィルタ挿入領域」を示す領域マーカを画像データの重複撮影領域に対して付加する（図８のステップＳ１５）。そして、重複撮影領域に対する輝度補正と「補償フィルタ挿入領域」を示す領域マーカの付加が行なわれた画像データを表示部１２に表示する（図８のステップＳ１６）。
【００８０】
そして、上述の手順において、重複撮影領域Ｒｒｘの皮膚積算線量Ｐｘ（ｔ）がＰｘ（ｔ）＜α１の場合の画像データの生成及び表示は、ステップＳ６乃至ステップＳ９とステップＳ１１を繰り返すことによって行なわれ、α１≦Ｐｘ（ｔ）＜α２の場合の画像データの生成及び表示は、ステップＳ６乃至ステップＳ１１を繰り返すことによって行なわれる。更に、Ｐｘ（ｔ）≧α２の場合の画像データの生成及び表示は、ステップＳ１３乃至ステップＳ１６を繰り返すことによって行なわれる。
【００８１】
尚、上述のステップＳ１５では、補償フィルタ３２２が挿入された状態で収集された撮影領域Ｒｒ２の画像データに対して「補償フィルタ挿入領域」を示す領域マーカを付加する場合について述べたが、補償フィルタ３２２が挿入される前の状態で収集された画像データに対して上述の領域マーカを付加しても構わない。
【００８２】
（変形例）
次に、本実施形態の変形例について説明する。
【００８３】
上述の実施形態では、皮膚積算線量Ｐｘ（ｔ）がＰｘ（ｔ）≧α２の場合、重複撮影領域Ｒｒｘに対して補償フィルタ３２２を挿入するＸ線診断装置１００について述べたが、本変形例では、α２≦Ｐｘ（ｔ）＜α３（α３＞α２）の場合、重複撮影領域Ｒｒｘに対して補償フィルタ３２２を挿入し、Ｐｘ（ｔ）≧α３の場合、補償フィルタ３２２の替わりに絞り羽根３２１を挿入するＸ線診断装置について説明する。
【００８４】
図９は、本変形例のＸ線診断装置が備える画像データ補正部１１ａの具体的な構成を示すブロック図であり、この図９において、図７に示した画像データ補正部１１のユニットと同一の構成及び機能を有するユニットは、同一の符号を付加し詳細な説明は省略する。
【００８５】
即ち、図９に示す本変形例の画像データ補正部１１ａは、輝度計測部１１１、輝度補正部１１２、画像データ記憶部１１４、画像データ補完部１１５及び領域マーカ付加部１１６を備えている。
【００８６】
画像データ記憶部１１４は、絞り羽根３２１が未挿入の状態で行なわれるＸ線撮影において画像データ生成部５から時系列的に供給される画像データを受信し、これらの画像データの中から抽出した最新あるいは所望時相の画像データを保存する。
【００８７】
一方、画像データ補完部１１５は、画像データ記憶部１１４から読み出した上述の画像データの重複撮影領域における画素データを領域検出部６から供給される重複撮影領域Ｒｒｘの領域情報に基づいて抽出する。次いで、絞り羽根３２１が挿入された状態で行なわれるＸ線撮影において画像データ生成部５から時系列的に供給される画像データの重複撮影領域に上述の画素データを貼付することにより、絞り羽根３２１の挿入によってその輝度の情報が欠落した画像データの重複撮影領域を補完する。
【００８８】
そして、領域マーカ付加部１１６は、α１≦Ｐｘ（ｔ）＜α２の場合に画像データ生成部５から直接供給された画像データの重複撮影領域に対して「注意領域」を示す領域マーカを付加し、α２≦Ｐｘ（ｔ）＜α３の場合に輝度補正部１１２から供給された輝度補正後の画像データにおける重複撮影領域に対して「補償フィルタ挿入領域」の領域マーカを付加する。又、Ｐｘ≧α３の場合に画像データ補完部１１５から供給された補完後の画像データにおける重複撮影領域に対して「絞り羽根挿入領域」の領域マーカを付加する。
【００８９】
次に、本変形例における画像データの生成／表示手順につき図１０のフローチャートを用いて説明する。但し、図１０において、図８に示した画像データの生成／表示手順と同一の手順についての説明は省略する。
【００９０】
即ち、図８のステップＳ８における皮膚積算線量Ｐｘ（ｔ）の算出が終了したならば、積算線量比較部８は、積算線量算出部７から供給された皮膚積算線量Ｐｘ（ｔ）の算出結果と予め設定された閾値α１乃至閾値α３（α１＜α２＜α３）とを比較し、その比較結果を画像データ補正部１１ａの領域マーカ付加部１１６へ供給する（図１０のステップＳ９ａ）。
【００９１】
そして、上述の皮膚積算線量Ｐｘ（ｔ）がＰｘ（ｔ）≧α３の場合、積算線量比較部８から供給された上述の比較結果と領域検出部６から供給された重複撮影領域Ｒｒｘの領域情報を受信したシステム制御部１４は、移動制御部１０が備える機構制御部１０４に対して絞り羽根挿入の指示信号を供給し、この指示信号を受信した機構制御部１０４は、絞り移動機構１０１を制御してＸ線可動絞り器３２の絞り羽根３２１を重複撮影領域Ｒｒｘへ挿入する（図１０のステップＳ２１）。
【００９２】
重複撮影領域Ｒｒｘに対する絞り羽根３２１の挿入が完了したならば、システム制御部１４は、Ｘ線発生部１、Ｘ線検出部２及び画像データ生成部５を制御することにより絞り羽根３２１が挿入された撮影領域Ｒｒ２に対するＸ線撮影を行なって画像データを生成する（図１０のステップＳ２２）。
【００９３】
一方、画像データ補正部１１ａの画像データ補完部１１５は、画像データ記憶部１１４から読み出した絞り羽根未挿入時の画像データにおける重複撮影領域の画素データを領域検出部６から供給される重複撮影領域の領域情報に基づいて抽出し、絞り羽根３２１が挿入された状態で行なわれるＸ線撮影において画像データ生成部５から時系列的に供給される画像データの重複撮影領域に上述の画素データを貼付することにより絞り羽根３２１の挿入によってその輝度の情報が欠落した画像データの重複撮影領域を補完する（図１０のステップＳ２３）。
【００９４】
次いで、画像データ補正部１１ａの領域マーカ付加部１１６は、画像データ補完部１１５から供給された補完後の画像データ、領域検出部６から供給された重複撮影領域Ｒｒｘの領域情報及び積算線量比較部８から供給された重複撮影領域Ｒｒｘにおける皮膚積算線量Ｐｘ（ｔ）と閾値α１乃至閾値α３との比較結果を受信し、これらの情報に基づいて「絞り羽根挿入領域」を示す領域マーカを画像データの重複撮影領域に対して付加する（図１０のステップＳ２４）。そして、重複撮影領域が補完され「絞り羽根挿入領域」の領域マーカが付加された画像データを表示部１２に表示する（図１０のステップＳ２５）。
【００９５】
そして、重複撮影領域Ｒｒｘの皮膚積算線量Ｐｘ（ｔ）がＰｘ（ｔ）≧α３の場合における画像データの生成及び表示は、上述のステップＳ２２乃至ステップＳ２５を繰り返すことによって行なわれる。但し、上述のステップＳ２４では、絞り羽根３２１が挿入された状態で収集される撮影領域Ｒｒ２の画像データに対して「絞り羽根挿入領域」の領域マーカを付加する場合について述べたが、絞り羽根が挿入される前の状態で収集された画像データに対して上述の領域マーカを付加しても構わない。
【００９６】
以上述べた本開示の実施形態によれば、被検体に対する撮影領域を順次移動させながらＸ線撮影を行なう際、撮影領域の重なり等によって局所的に発生する皮膚積算線量の増大を防止することができる。
【００９７】
特に、線量計測部の計測結果に基づいて独立した撮影領域あるいは複数の撮影領域が重なって形成された重複撮影領域における皮膚積算線量が算出され、得られた皮膚積算線量の算出結果と所定の閾値との比較によって検出された大きな皮膚積算線量を示す領域に対しＸ線照射量の低減を目的とした補償フィルタの挿入が行なわれるため、局所的に発生する皮膚積算線量の増大を容易かつ確実に防止することができる。このため、Ｘ線撮影における安全性が確保されるのみならず操作者の負担を軽減することができる。
【００９８】
又、本実施形態では、補償フィルタの挿入により減弱したＸ線照射量に伴って低減する画像データの局所的な輝度低下を補正する機能を有しているため、補償フィルタの挿入による画質劣化を防ぐことが可能となる。
【００９９】
更に、補償フィルタの挿入が必要な領域あるいは挿入が行なわれた領域に対して「補償フィルタ挿入領域」を示す領域マーカが付加されるため、操作者は、補償フィルタの挿入が必要な領域を容易に把握することができる。
【０１００】
以上、本開示の実施形態とその変形例について述べてきたが、本開示は、上述の実施形態及びその変形例に限定されるものではなく、更に、変形して実施することが可能である。例えば、上述の実施形態では、第１の撮影領域Ｒｒ１と第２の撮影領域Ｒｒ２とが重なった重複撮影領域Ｒｒｘに対してＸ線照射の低減を目的とした補償フィルタ３２２を挿入する場合について述べたが、独立した個々の撮影領域に対する補償フィルタの挿入であっても構わない。
【０１０１】
又、ハレーション防止機能を有する補償フィルタ３２２を用いて重複撮影領域Ｒｒｘにおける皮膚積算線量を低減する場合について述べたが、専用の補償フィルタを用いて皮膚積算線量の低減を行なってもよい。この場合の補償フィルタは、多分割補償フィルタに限定されるものではなく、例えば、予め備えられた各種形状の補償フィルタの中から重複撮影領域Ｒｒｘの形状に対応した補償フィルタを選択して使用してもよい。
【０１０２】
同様にして、上述の変形例では、撮影領域の形成機能を有する絞り羽根３２１を用いて重複撮影領域Ｒｒｘにおける皮膚積算線量を低減する場合について述べたが、重複撮影領域Ｒｒｘの形状に対応した専用の絞り羽根を用いて皮膚積算線量の低減を行なってもよい。この場合も、予め備えられた各種形状の絞り羽根の中から重複撮影領域の形状に対応した絞り羽根を選択して使用する方法が好適である。
【０１０３】
更に、上述の実施形態及びその変形例では、画像データ補正部１１（１１ａ）が備える輝度計測部１１１の輝度計測結果に基づいて画像データの重複撮影領域における輝度低下を自動的に補正する場合について述べたが、例えば、入力部１３が備える輝度調整機能によって上述の輝度補正を行なってもよい。この場合、操作者は、表示部１２に表示された画像データの観察下で入力部１３の入力デバイスを操作することにより重複撮影領域の輝度補正の手動的に調整することができる。
【０１０４】
一方、上述の変形例では、皮膚積算線量Ｐｘ（ｔ）と閾値α１乃至α３との比較結果に基づいて重複撮影領域Ｒｒｘに対する補償フィルタ３２２の挿入と絞り羽根３２１の挿入を行なう場合について述べたが、皮膚積算線量Ｐｘ（ｔ）が所定の閾値を越えた場合には、絞り羽根３２１の挿入のみを行なっても構わない。
【０１０５】
又、上述の実施形態及びその変形例では、輝度補正されたあるいは抽出された画像データに対して「補償フィルタ挿入領域」あるいは「絞り羽根挿入領域」の領域マーカを付加する場合について述べたが、補償フィルタ３２２や絞り羽根３２１が挿入される前に収集された画像データに対して上述の領域マーカを付加しても構わない。
【０１０６】
更に、上述の実施形態及びその変形例では、その位置が固定された撮影領域Ｒｒ１及び撮影領域Ｒｒ２によって形成される重複撮影領域Ｒｒｘに対して「補償フィルタ挿入領域」あるいは「絞り羽根挿入領域」の領域マーカを付加すると共にこれらの領域に対して補償フィルタ３２２あるいは絞り羽根３２１を挿入する場合について述べたが、撮影領域Ｒｒ２における時系列的な画像データの収集中に撮像系や天板９を所望の方向へ連続的に移動させることにより撮影領域Ｒｒ２が移動した場合、撮影領域Ｒｒ２の更新に伴って新たに検出された重複撮影領域に対して皮膚積算線量Ｐｘ（ｔ）の検出が行なわれ、この検出結果に基づいて重複撮影領域に対する補償フィルタ３２２や絞り羽根３２１の挿入が行なわれる。
【０１０７】
又、線量検出部３３によって検出されるＸ線線量に基づいて被検体１５０の皮膚積算線量を算出する場合について述べたが、皮膚積算線量は、Ｘ線撮影に先行して設定される管電流や管電圧等のＸ線照射条件に基づいて算出しても構わない。
【０１０８】
尚、本実施形態及びその変形例のＸ線診断装置に含まれる各ユニットは、例えば、ＣＰＵ、ＲＡＭ、磁気記憶装置、入力装置、表示装置等で構成されるコンピュータをハードウェアとして用いることでも実現することができる。例えば、Ｘ線診断装置１００のシステム制御部１４は、上記のコンピュータに搭載されたＣＰＵ等のプロセッサに所定の制御プログラムを実行させることにより各種機能を実現することができる。この場合、上述の制御プログラムをコンピュータに予めインストールしてもよく、又、コンピュータ読み取りが可能な記憶媒体への保存あるいはネットワークを介して配布された制御プログラムのコンピュータへのインストールであっても構わない。
【０１０９】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形例は、発明の範囲や要旨に含まれるとともに、特許請求の範囲に記載された発明とその均等の範囲に含まれる。
【符号の説明】
【０１１０】
１…Ｘ線発生部
２…Ｘ線検出部
２１…平面検出器
２２…ゲートドライバ
２３…投影データ生成部
２４…電荷・電圧変換器
２５…Ａ／Ｄ変換器
２６…パラレル・シリアル変換器
３…Ｘ線照射部
３１…Ｘ線管
３２…Ｘ線可動絞り器
３３…線量計測部
４…高電圧発生部
４１…Ｘ線制御部
４２…高電圧発生器
５…画像データ生成部
６…領域検出部
７…積算線量算出部
８…積算線量比較部
９…天板
１０…移動機構部
１０１…絞り移動機構
１０２…天板移動機構
１０３…保持部移動機構
１０４…機構制御部
１１、１１ａ…画像データ補正部
１２…表示部
１３…入力部
１４…システム制御部
１００…Ｘ線診断装置
【図１】
2014054322.tif 000004
【図２】
2014054322.tif 000005
【図３】
2014054322.tif 000006
【図４】
2014054322.tif 000007
【図５】
2014054322.tif 000008
【図６】
2014054322.tif 000009
【図７】
2014054322.tif 000010
【図８】
2014054322.tif 000011
【図９】
2014054322.tif 000012
【図１０】
2014054322.tif 000013